(57)【要約】【課題】幅方向外方それぞれに長手方向に沿って配設された防漏壁を備えた吸収性物品において、防漏壁の基壁部で堰き止められた体液が、基壁部の外面側に染み出しにくいと共に、肌当接部からも染み出しにくい吸収性物品を提供すること。【解決手段】表面シート２、裏面シート３及び両シート２，３間に介在された吸収体４を有する吸収性本体１０と、吸収性本体１０の幅方向外方それぞれに長手方向に沿って配設された防漏壁５とを備えた吸収性物品１であって、防漏壁５は、吸収体４の側部４３の近傍から起立した基壁部５１と、基壁部５１の上端部５４に連設された肌当接部５２とからなり、基壁部５１の内面側に親水性の内面シート８が配設されており、内面シート８は、肌当接部５２には配設されていない。【選択図】図３
2008136738.tif 000002
【特許請求の範囲】
【請求項１】
表面シート、裏面シート及び両シート間に介在された吸収体を有する吸収性本体と、該吸収性本体の幅方向外方それぞれに長手方向に沿って配設された防漏壁とを備えた吸収性物品であって、
前記防漏壁は、前記吸収体の側部近傍から起立した基壁部と、該基壁部の上端部に連設された肌当接部とからなり、
前記基壁部の内面側に親水性の内面シートが配設されており、該内面シートは、前記肌当接部には配設されていない吸収性物品。
【請求項２】
前記内面シートは、前記基壁部における少なくとも前記吸収性本体の排泄部対向部に対応する位置に配設されている請求項１記載の吸収性物品。
【請求項３】
前記内面シートは、前記吸収体の側部と前記基壁部との間に配設されている請求項１又は２に記載の吸収性物品。
【請求項４】
前記内面シートと前記基壁部とは、空隙をあけて又は接着剤を介して離間している請求項１〜３の何れかに記載の吸収性物品。
【請求項５】
前記内面シートは、前記基壁部における前記吸収体よりも上方の位置に配設されている請求項１〜４の何れかに記載の吸収性物品。
【発明の詳細な説明】
【技術分野】
【０００１】
本発明は、生理用ナプキンや使い捨ておむつ等の吸収性物品に関する。
【背景技術】
【０００２】
従来より、生理用ナプキンや使い捨ておむつ等において、その幅方向外方それぞれに、防漏壁が長手方向に沿って配設されたものが知られている。防漏壁は、吸収性物品を着用者にフィットする好ましい立体形状に変形させること、着用者の肌に対する密着性を向上させ、液漏れを確実に防止すること等を目的とするものである。
従来の防漏壁は、一般的に、撥水性の不織布を主体として構成されており、吸収体で吸収し切れなかった体液（例えば、生理用ナプキンにおいては経血、使い捨ておむつにおいては軟便）を、防漏壁の基壁部で堰き止め、横漏れを防止していた。
【０００３】
しかしながら、撥水性の不織布を主体とする防漏壁であっても、横漏れを完全に防ぐことはできない。即ち、撥水性の不織布を主体とする防漏壁によれば、大量の体液が流れてきた場合に、装着時における圧力の大きさや体液の粘性（経血や軟便は粘性が高い場合がある）等によっては、体液が不織布の構成繊維の空隙に入り込み、付着することがある。不織布の構成繊維の空隙に入り込んだ体液は、防漏壁の基壁部の内面側から外面側に徐々に染み出したり、防漏壁の基壁部の内面側を伝わって防漏壁の肌当接面から染み出すことがある。
【０００４】
下記特許文献１には、防漏壁の基壁部の内面側及び肌当接面を親水性シートから形成した生理用ナプキンが開示されている。
しかしながら、特許文献１記載の生理用ナプキンによれば、防漏壁の基壁部の内面側及び肌当接面が親水性シートから形成されているため、防漏壁の基壁部に堰き止められた体液は、親水性シートを介して防漏壁の肌当接面に伝わり、そこから漏れ出しやすい。
【０００５】
【特許文献１】特開２００２−２３８９４９号公報
【発明の開示】
【発明が解決しようとする課題】
【０００６】
従って、本発明の目的は、幅方向外方それぞれに長手方向に沿って配設された防漏壁を備えた吸収性物品において、防漏壁の基壁部で堰き止められた体液が、基壁部の外面側に染み出しにくいと共に、肌当接部からも染み出しにくい吸収性物品を提供することにある。
【課題を解決するための手段】
【０００７】
本発明は、表面シート、裏面シート及び両シート間に介在された吸収体を有する吸収性本体と、該吸収性本体の幅方向外方それぞれに長手方向に沿って配設された防漏壁とを備えた吸収性物品であって、前記防漏壁は、前記吸収体の側部近傍から起立した基壁部と、該基壁部の上端部に連設された肌当接部とからなり、前記基壁部の内面側に親水性の内面シートが配設されており、該内面シートは、前記肌当接部には配設されていない吸収性物品を提供することにより上記の目的を達成したものである。
【発明の効果】
【０００８】
本発明の吸収性物品によれば、幅方向外方それぞれに長手方向に沿って配設された防漏壁を備えた吸収性物品において、防漏壁の基壁部で堰き止められた体液が、基壁部の外面側に染み出しにくいと共に、肌当接部からも染み出しにくい。
【発明を実施するための最良の形態】
【０００９】
以下、本発明の吸収性物品を、その好ましい一実施形態である第１実施形態の生理用ナプキンに基づき図面を参照しながら説明する。
第１実施形態の生理用ナプキン１は、図１〜図３に示すように、液透過性の表面シート２、液不透過性又は液難透過性の裏面シート３及び両シート２，３間に介在された液保持性の吸収体４を有する吸収性本体１０と、吸収性本体１０の幅方向外方それぞれに長手方向に沿って配設された防漏壁５，５とを備えている。
【００１０】
本実施形態の生理用ナプキン１においては、吸収性本体１０は、その長手方向に、着用時に着用者の排泄部に対向配置される排泄部対向部Ａと、排泄部対向部Ａよりも前側の前方部Ｂと、排泄部対向部Ａよりも後側の後方部Ｃとに区分されている。
排泄部対向部Ａは、本実施形態のようにウイング部１２を有する生理用ナプキン１においては、吸収性本体１０におけるその両側部にウイング部１２を有する部分である。この他、排泄部対向部Ａは、以下のような特定要因によって判断できる。即ち、吸収性本体１０の肌当接面の防漏溝（前方溝６、中央溝７１等の吸収性本体１０の肌当接面の溝の総称）の変化位置（例えば、図２では最小幅の位置であり、最大幅の位置の場合もある）、吸収体４の括れ位置、中高領域を有する吸収体４の長手方向中心位置等であるが、ウイング部１２、防漏溝、吸収体４の括れ位置、中高領域を有する吸収体４の中心位置の順で優先的に判断することができ、該特定要因を中心に長手方向長さが５０〜６０ｍｍ程度の範囲である。
本実施形態においては、排泄部対向部Ａと後方部Ｃとの境界は、吸収性本体１０の長手方向の略中央部に位置する。
【００１１】
尚、「長手方向」及び「幅方向」とは、特に明記のない限り、それぞれ「吸収性物品の長手方向」及び「吸収性物品の幅方向」を意味する。「上面」及び「下面」とは、特に明記のない限り、それぞれ「肌当接面（側の面）」及び「非肌当接面（側の面）」を意味する。
【００１２】
吸収体４は、図３に示すように、上層吸収体４１及び下層吸収体４２からなる２層構造を有している。上層吸収体４１は、下層吸収体４２よりも長さが短く、幅が狭くなっている。また、上層吸収体４１は、下層吸収体４２には接合されておらず、下層吸収体４２の長手方向中央部で且つ幅方向中央部に位置している。従って、上層吸収体４１は、いわゆる中高領域を形成する。
【００１３】
表面シート２は、図３に示すように、吸収体４の上面の全域を被覆し、更に吸収体４の両側縁から幅方向に延出して吸収体４の非肌当接面側に巻き込まれている。裏面シート３は、吸収体４の下面を被覆し、更に吸収体４の両側縁から幅方向外方に延出して一対のサイドフラップ１３を形成している。一対のサイドフラップ１３は、吸収性本体１０の排泄部対向部Ａにおいて更に幅方向外方へ延出して、一対のウイング１２，１２を形成している。ウイング１２は、着用時に折り曲げられて、ショーツ等の下着の外表面に粘着剤等を介して固定されるものである。
また、表面シート２及び裏面シート３は、それぞれ吸収体４の前後端から長手方向に延出し、その延出部分において互いに接合されてエンドシール部１４，１４を形成している。
【００１４】
前方部Ｂにおける肌当接面には、図１及び図２に示すように、前側に向けて凸の略Ｕ字状の前方溝６が設けられている。排泄部対向部Ａにおける肌当接面側には、長手方向に沿って延びる幅方向に一対の中央溝７１，７１が設けられている。後方部Ｃにおける肌当接面には、後側に向けて凸の略Ｕ字状の第１後方溝７２が設けられている。
前方溝６の一対の後端部と一対の中央溝７１，７１の前端部とがそれぞれ連結されると共に、一対の中央溝７１，７１の後端部と第１後方溝７２における一対の前端部とがそれぞれ連結されて、閉鎖された全周溝Ｑが形成されている。
【００１５】
全周溝Ｑ（前方溝６、中央溝７１、第１後方溝７２）は、表面シート２と吸収体４の下層吸収体４２とが一体的に圧密化されて形成されており、そのため、上層吸収体４１は、平面視で全周溝Ｑによって包囲されている。
換言すると、全周溝Ｑ（前方溝６、中央溝７１、第１後方溝７２）は、表面シート２と下層吸収体４２とを接合しているが、表面シート２と上層吸収体４１とを接合していない。また、平面視において、上層吸収体４１の外形と全周溝Ｑの外形とは略一致している。従って、上層吸収体４１は、表面シート２と下層吸収体４２とからなる閉鎖空間に封入されている。
【００１６】
上層吸収体４１の平面視形状は、図２に示すように、巨視的にみて、前方部Ｂ及び排泄部対向部Ａにおいて幅がほぼ同じで、後方部Ｃにおいて徐々に幅が狭くなって尖っている。尚、全周溝Ｑには、吸収性本体１０における中高領域、即ち吸収体４の上層吸収体４１を着用者に意識させる効果もある。
【００１７】
前方溝６は、図２及び図４に示すように、幅方向外方に向けてそれぞれ膨出した形状を有し、幅方向間隔の広い最広部６２を形成している。最広部６２は、前方溝６の平面視形状を、前端部６１から後側に向けて視たときにおいて、最初に幅方向間隔の極大となる部分である。つまり、最広部６２から後側に向けて幅方向間隔が狭くなるか又は一定になる。
【００１８】
また、中央溝７１は、図２において幅方向内側に向けて凸に湾曲しており、その途中に括れ部７１Ａが形成されている。括れ部７１Ａは、中央溝７１の平面視形状を、その前端部から後側に向けて視たときにおいて、最初に幅方向間隔が極小となる部分である。括れ部７１Ａから後側に向けて、再び幅方向間隔が広くなり、後端部に至る。
【００１９】
全周溝Ｑの湾曲形状は、おおよそ、前方溝６の前端部６１から最広部６２の間においては外側に向けて凸であり、最広部６２から中央溝７１の後端部の間においては内側に向けて凸であり、第１後方溝７２においては外側に向けて凸である。
【００２０】
第１後方溝７２の外側には、後側に凸の略Ｕ字状の第２後方溝７３が設けられている。第２後方溝７３の一対の前端部は、第１後方溝７２の一対の前端部近傍に連結されており、従って、後方部Ｃには、第１後方溝７２及び第２後方溝７３からなる二重の略Ｕ字状の防漏溝が形成されている。
第２後方溝７３は、後方部Ｃ側における上層吸収体４１の尖った領域に近接する下層吸収体４２を、表面シート２に接合している。第２後方溝７３が形成されていることによって、後方部Ｃにおける防漏性が向上し、下層吸収体４２と表面シート２との離間が防止されることで、液の吸収性がよくなり、身体形状にフィットするような可撓性が生じる。
【００２１】
表面シート２、裏面シート３及び吸収体４としては、生理用ナプキン等の吸収性物品において従来から用いられている各種材料を特に制限なく用いることができる。
表面シート２としては、例えば、親水化処理が施された各種不織布や開孔フィルム等の液透過性のシートを用いることができる。裏面シート３としては、例えば、熱可塑性樹脂のフィルム（ＰＥフィルム等）や、該フィルムと不織布とのラミネート等の液不透過性又は撥水性のシートを用いることができ、水蒸気透過性を有するものを用いることもできる。
吸収体４としては、生理用ナプキン等の吸収性物品における吸収体として従来から用いられている各種材料を特に制限なく用いることができ、例えば、パルプ繊維を堆積させて得られた積繊層、パルプ繊維を原料とする不織布からなるものを用いることができる。吸収体４は吸収性ポリマーを含有していてもよい。
【００２２】
次に防漏壁５について説明する。図１〜図３に示すように、吸収性本体１０の幅方向外方それぞれには、長手方向に沿って一対の防漏壁５，５が配設されている。防漏壁５は、吸収性本体１０の全長に亘っている。
【００２３】
防漏壁５の上部には、図２及び図３に示すように、吸収性本体１０の長手方向に沿って伸縮する伸縮領域Ｐが設けられている。詳述すると、防漏壁５は、吸収体４の側部４３の近傍から起立した基壁部５１と、基壁部５１の上端部５４に連設された面状の肌当接部５２とからなる。つまり、防漏壁５の断面形状は、略Ｔ字状となっている。
【００２４】
基壁部５１は、吸収体４の側部４３と間隔を有して起立しているか、又は吸収体４の側部４３と接合して起立しているか、あるいは吸収体４の側部４３近傍の上面等の吸収体４の側部４３近傍から起立しており、その上部は肌当接部５２となっている。肌当接部５２は、基壁部５１の上端部５４に位置し、弾性部材９によって肌と接する部位である。
【００２５】
肌当接部５２には、吸収性本体１０の長手方向に沿って防漏壁弾性部材９（９１，９２）が配設されて弾性伸縮性が付与され、伸縮領域Ｐが形成されている。防漏壁弾性部材９は、幅方向に離間して複数本配設されている。基壁部５１よりも幅方向内方に位置する防漏壁弾性部材９を「内方弾性部材９１」といい、基壁部５１よりも幅方向外方に位置する防漏壁弾性部材９を「外方弾性部材９２」という。伸縮領域Ｐとは、実質的に伸縮性が発現する領域をいい、防漏壁弾性部材９が存在する領域であっても、例えば、ヒートシール等が施されて剛性が高くなることによって、実質的に伸縮性が発現しなくなっている領域は含まない。
【００２６】
肌当接部５２は、基壁部５１とは、折り返されて明確に区別されている（境界が形成されている）ことが好ましく、その折り返し部に弾性部材が配されて面状に形成されていたり、複数の弾性部材や帯状の弾性部材が配されて平面部が形成されている（境界が明確にされている）ことがより好ましい。このように、好ましくは面状に形成されることで、さらに好ましくは平面部が形成されることで、肌当接部５２が柔らかく肌と接し、身体の動きに柔軟に追従することができる。
【００２７】
防漏壁５は、吸収体４の側部４３に沿って配設されており、肌当接部５２の上面（肌当接面）は、吸収体４の上面（肌当接面）と略平行である。肌当接部５２は、少なくとも排泄部対向部Ａにおいて着用者の肌に面状に当接するようになっている。
【００２８】
肌当接部５２は、基壁部５１の上端部５４に断面Ｔ字状に連設されている。即ち、肌当接部５２は、基壁部５１の上端部５４から吸収性本体１０の幅方向内方に張り出す内方張出部５２Ａと、基壁部５１の上端部５４から吸収性本体１０の幅方向外方に張り出す外方張出部５２Ｂとから構成されている。
【００２９】
両張出部５２Ａ，５２Ｂの張り出し幅は異なっており、内方張出部５２Ａの張り出し幅と外方張出部５２Ｂの張り出し幅との比（前者：後者）は、好ましくは３：２〜５：１である。内方張出部５２Ａ及び外方張出部５２Ｂには、それぞれ糸状の内方弾性部材９１が４本，外方弾性部材９２が２本（図３においてはそれぞれ１本のみ図示）、幅方向に間隔をあけて配設されている。防漏壁弾性部材９は、少なくとも排泄部対向部Ａに配されており、更に前方部Ｂ及び／又は後方部Ｃ側にも延びていることが好ましい。
【００３０】
肌当接部５２は、前方部Ｂにおいて、その前端部近傍が、前側のエンドシール部１４により、表面シート２又は裏面シート３の肌当接面側に接合されており、また、その内側部側が、前側の防漏壁シール部１５により、表面シート２又は裏面シート３の肌当接面側に接合されている。
同様に、肌当接部５２は、後方部Ｃにおいて、その後端部近傍が、後側のエンドシール部１４により、表面シート２又は裏面シート３の肌当接面側に接合されており、また、その内側部側が、後側の防漏壁シール部１５により、表面シート２又は裏面シート３の肌当接面側に接合されている。
【００３１】
防漏壁５は、排泄部対向部Ａ、及び後方部Ｃの一部においては、伸縮領域Ｐ（防漏壁弾性部材９）による収縮力によって起立する。一方、防漏壁５は、前方部Ｂ、及び後方部Ｃの残りの一部においては、少なくとも肌当接部５２の幅方向内側（内方張出部５２Ａ）が、エンドシール部１４及び防漏壁シール部１５により表面シート２又は裏面シート３に接合されることによって、起立が阻害されており、起立しない。そのため、肌当接部５２の収縮によって、生理用ナプキン１は、その長手方向の全体形状が、図４に示すように、凹状に湾曲する。
【００３２】
本実施形態における防漏壁５は、図３に示すように、防漏壁形成用シート５３が吸収性本体１０に固定されることにより形成されている。防漏壁形成用シート５３は、長手方向に亘って一定の幅を有するシートで、基壁部５１の上端部５４と肌当接部５２とが断面Ｔ字状に連設された形状に形成されるように、折り返されている。従って、防漏壁形成用シート５３は、基壁部５１及び肌当接部５２において２層となっている。尚、防漏壁形成用シート５３の幅とは、単体状態の防漏壁形成用シート５３の幅であって、吸収性物品の幅方向とは必ずしも一致しない。
【００３３】
より具体的には、排泄部対向部Ａにおいては、図３（ａ）に示すように、基壁部５１の下端部５５（肌当接部５２側の上端部５４とは反対側の端部）は、吸収体４の非肌当接面側に巻き込まれている。そして、吸収体４の非肌当接面側に巻き込まれた下端部５５は、吸収体４の非肌当接面側に巻き込まれた表面シート２の非肌当接面側と、裏面シート３の肌当接面側との間に、接着剤等の公知の接合手段により固定されている。排泄部対向部Ａにおける防漏壁形成用シート５３の幅方向の固定位置は、基壁部５１における下端部５５近傍である。
【００３４】
後方部Ｃにおいては、図３（ｃ）に示すように、防漏壁形成用シート５３の一部は、幅方向内方に延出するように山折りに折り重ねられて重層部５８を形成している。重層部５８は、折り重ねられた対向面が対向面接合部５７により接合されて、折り重ね形態を維持するとともに、防漏壁５の高さを抑制し、ナプキンと身体とが分離し過ぎないようにしている。
【００３５】
対向面接合部５７は、防漏壁５の基壁部５１を良好に起立させる観点から、重層部５８の折り重ねられた対向面における幅方向外方寄りの位置に設けられていることが好ましい。防漏壁５に重層部５８が設けられることにより、後方部Ｃにおける基壁部５１の上端部５４から裏面シート３までの厚み方向距離は、排泄部対向部Ａにおける該厚み方向距離よりも短くなっている。
【００３６】
重層部５８は、基壁部５１の長手方向に所定長さに亘って形成されている。重層部５８の長さは、防漏壁５が起立している部分の全長の１５〜４５％であることが好ましく、２０〜３０％であることが更に好ましい。
【００３７】
防漏壁５を構成する材料としては、それぞれ、生理用ナプキン等の吸収性物品における防漏壁を構成する材料として従来から用いられている繊維系材料を特に制限なく用いることができ、特に好ましくは疎水性不織布等の撥水性のシートが用いられる。
防漏壁５における防漏壁弾性部材９は、弾性を有しているものであれば、糸状の弾性部材に制限されず、帯状のものでもよい。また、基壁部５１も肌当接部５２と同様に伸縮性を有していてもよい。
また、防漏壁５は、本実施形態においては基壁部５１と肌当接部５２とが一体的に形成されているが、基壁部５１と肌当接部５２とを別々に製造し、それらを接合して形成することもできる。
【００３８】
防漏壁５の基壁部５１の内面側には、図３（ａ）及び図４に示すように、親水性の内面シート８が配設されている。内面シート８は、肌当接部５２には配設されていない。
内面シート８としては、嵩高性のシートや、構成繊維の空隙が小さい（毛管力が強い）シートが好ましい。内面シート８が嵩高性のシートである場合、高粘性の液体をその表面近くに（ろ過するように）留め置いて、防漏壁５の機能を低下させることなく発揮することができるようになり、また、内面シート８が、構成繊維の空隙が小さいシートである場合、高粘性の液体が内面シート８の内部に入り込むことを防止できる点から好ましい。
【００３９】
嵩高性のシートとしては、例えば、パルプ繊維及びバインダー成分を主体とした乾式パルプシート（エアレイド不織布）、エアスルー不織布が挙げられ、また、構成繊維の空隙が小さいシートとしては、ＳＭＳ（スパンボンド−メルトブローン−スパンボンド）不織布、スパンボンド不織布、スパンレース不織布が挙げられる。
また、嵩高性のシートと構成繊維の空隙が小さいシート（防漏壁側）とを組み合わせたシートは、両者の性能を併せ持つ点でより好ましい。
【００４０】
内面シート８は親水性であるため、液の防漏効果は高くないが、通常の尿や経血に比べて粘性が高く表面張力が低い成分や、固形物を有する軟便や経血等の高粘性物に対して、嵩高性や小さい空隙によって液の通過性が低くなる。そのため、防漏壁５に直接、軟便や経血等の高粘性物が接触することを防止できる。このため、軟便や経血等の高粘性物が付着した場合にそこから液が染み出す現象が起こりやすい撥水性（疎水性）の防漏壁５は、その撥水性による液の防漏効果を保ち続けることができる。
【００４１】
内面シート８の親水性について説明する。内面シート８に使用される繊維としては、例えば、パルプ、レーヨン、綿糸など、元来親水性を有するセルロース由来の繊維、ポリビニールアセテートなどの親水性を示す樹脂材料を製糸した繊維、ポリエチレン、ポリプロピレン、ポリエステル等の合成樹脂を製糸して界面活性剤で処理した繊維が好ましく用いられる。これらの繊維によって形成された内面シート８の親水性は、液適法によって評価する。同様に、液滴法によって、防漏壁５の疎水性（撥水性）を評価する。
【００４２】
液適法は以下の手順で行う。
評価するシート（大きさ：１００ｍｍ×１００ｍｍ以上）を、その下面が接触しないようにかつ弛みがないように、内部が空洞（又は凹部）となった円筒（例えばシャーレのようなもの）の上に置く。円筒は、高さが２０ｍｍ以上、空洞となる部分の内径（間隔）が１００ｍｍ程度のものであれば良い。評価液としてはイオン交換水を使用するが、評価前に表面張力を計測し、それが７０ｍＮ／ｍ以上であることを確認しておく。表面張力は、Wilhelmy法（プレート法）により、白金プレートを使用し、環境条件：２０℃、６５％ＲＨにて測定する。
【００４３】
スポイトを使用して、評価するシート上に液滴を静かに載せ（１０滴）、５秒以内に、シート上の１０滴の液滴のうち８滴以上がシートに含浸した状態となる場合に、親水性と評価する。好ましい親水性は、１０滴全てが５秒以内に含浸した状態である。また、５秒を超えて液滴が６〜９滴残っている場合には、疎水性と評価し、５秒を超えて液滴が１０滴残っている場合には、撥水性と評価する。
【００４４】
吸収性物品１の長手方向に着目すると、内面シート８は、防漏壁５の基壁部５１における少なくとも吸収性本体１０の排泄部対向部Ａに対応する位置に配設されている。「排泄部対向部Ａに対応する位置」とは、排泄部対向部Ａの幅方向外方の位置である。本実施形態のような生理用ナプキンにおいては、内面シート８による吸収性本体１０の長手方向への体液（特に経血）の拡散を抑制する観点から、内面シート８は、図３（ａ）に示すように、排泄部対向部Ａのみに又は主に排泄部対向部Ａに配設されていることが好ましい。従って、図３（ｃ）に示す断面位置には、内面シート８は配設されていない。
【００４５】
吸収性物品１０の厚み方向に着目すると、内面シート８は、吸収体４の側部４３と防漏壁５の基壁部５１との間に配設されていると共に、防漏壁５の基壁部５１における吸収体４よりも上方の位置に配設されている。「吸収体４の側部４３と防漏壁５の基壁部５１との間」とは、吸収体４の側部４３と防漏壁５の基壁部５１との間隔が５ｍｍ以下の場合における両者の間を意味し、両者の間隔が５ｍｍ超離間している場合は該当しない。また、「防漏壁５の基壁部５１における吸収体４よりも上方の位置」とは、前記「吸収体４の側部４３と防漏壁５の基壁部５１との間」から上方の位置をいう。
【００４６】
吸収性物品１０の幅方向に着目すると、内面シート８と防漏壁５の基壁部５１とは、接着剤８１を介して離間している。つまり、両者は当接していない。また、内面シート８の下側と表面シート２とは、接着剤８２を介して接合されている。
【００４７】
以上の構成を有する本実施形態の生理用ナプキン１によれば、防漏壁５の基壁部５１の内面側に親水性の内面シート８が配設されており、内面シート８は、防漏壁５の肌当接部５２には配設されていないため、吸収性本体１０の吸収体４で吸収し切れず、防漏壁５の基壁部５１で堰き止められた体液は、内面シート８によって一時保持される。そして、内面シート８に一時保持された体液は、吸収体４に再度吸収されるため、防漏壁５の基壁部５１で堰き止められた体液は、基壁部５１の外面側に染み出しにくいと共に、肌当接部５２からも染み出しにくい。
例えば、経血には親水成分及び疎水成分が存在しており、そのうち疎水成分は、親水性の内面シート８に捕捉される（トラップされる）か又は表面に取り残されるが、親水成分は、内面シート８の外面（吸収体４側の面）から染み出し、吸収体４に吸収される。
【００４８】
また、親水性の内面シート８が肌当接部５２に配設されていないため、着用者の肌が内面シート８に接触しない。そのため、内面シート８の接触による着用者の肌の汚れ、肌のかぶれ等が抑制される。
更に、防漏壁５の基壁部５１の内面側における排泄部対向部Ａに対応する位置に、内面シート８が接合されていることで、基壁部５１の起立性が安定する。
内面シート８の下側が、接着剤８２を介して表面シート２に接合されているため、内面シート８に吸収された体液が吸収体４に移行しやすく、また防漏壁５の基壁部５１の起立安定性が高い。
【００４９】
次に、本発明の別の実施形態の生理用ナプキンについて説明する。別の実施形態の生理用ナプキンについては、第１実施形態の生理用ナプキンと異なる点について説明し、同様の点については説明を省略する。特に説明しない点については、第１実施形態の生理用ナプキンについての説明が適宜適用される。別の実施形態の生理用ナプキンにおいても、第１実施形態の生理用ナプキンと同様の効果が奏される。
【００５０】
第２実施形態の生理用ナプキンは、図５に示すように、第１実施形態に比して、内面シート８に配設位置が異なる。具体的には、内面シート８は、防漏壁５の基壁部５１における吸収体４よりも上方の位置に配設されているが、吸収体４の側部４３と防漏壁５の基壁部５１との間に配設されていない。その他の構成は、第１実施形態と同様である。
第２実施形態の生理用ナプキンによれば、第１実施形態と同様の効果が奏される。更に、吸収性本体１０の吸収体４で吸収し切れず、防漏壁５の基壁部５１で堰き止められた体液は、内面シート８によって一時保持される。そして、内面シート８に一時保持された体液は、吸収体４に再度吸収されるため、防漏壁５の基壁部５１で堰き止められた体液は、基壁部５１の外面側に染み出しにくいと共に、肌当接部５２からも染み出しにくい。
【００５１】
第３実施形態の生理用ナプキンは、図６に示すように、第１実施形態に比して、内面シート８と防漏壁５の基壁部５１との接合形態が異なる。具体的には、内面シート８と防漏壁５の基壁部５１とは、吸収体４よりも上方の位置では接合されているが、吸収体４の側部４３と防漏壁５の基壁部５１との間では接合されていない。そのため、内面シート８と防漏壁５の基壁部５１とは、空隙をあけて離間している。その他の構成は、第１実施形態と同様である。
【００５２】
第３実施形態の生理用ナプキンによれば、第１実施形態及び第２実施形態と同様の効果が奏される。更に、内面シート８と防漏壁５の基壁部５１とが空隙をあけて離間しているため、該空隙が体液の一時保持空間として機能し、一時保持された体液は、吸収体４に再度吸収される。その結果、体液が基壁部５１の上方へ流れることを抑えることができるため、横漏れ防止効果が一層向上する。
【００５３】
第４実施形態の生理用ナプキンは、図７に示すように、第３実施形態に比して、防漏壁５の基壁部５１の下端部５５が巻き込まれる方向が異なる。具体的には、防漏壁５の基壁部５１の下端部５５は、幅方向外側に向けて折れ曲がり、サイドフラップ１３に接合されている。その他の構成は、第３実施形態と同様である。
第４実施形態の生理用ナプキンによれば、第３実施形態と同様の効果が奏される。更に、防漏壁５の基壁部５１の下端部５５が幅方向外側に向けて折れ曲がり、サイドフラップ１３に接合されているため、防漏壁５の基壁部５１の起立安定性が一層向上する。
【００５４】
次に本発明の吸収性物品を使い捨ておむつに適用した第５実施形態について、図８を参照しながら説明する。第５実施形態の使い捨ておむつについては、主として、第１実施形態の生理用ナプキンと異なる点について説明し、同様の点については説明を省略する。特に説明しない点については、第１実施形態の生理用ナプキンについての説明が適宜適用される。
【００５５】
第５実施形態の使い捨ておむつ１は、図８に示すように、表面シート２、裏面シート３及び両シート２、３間に介在された吸収体４を有する吸収性本体１０と、吸収性本体１０の幅方向外方それぞれに長手方向に沿って配設された防漏壁５とを備えた使い捨ておむつである。防漏壁５は、吸収体４の側部近傍から起立した基壁部５１と、基壁部５１の上端部５４に連設された肌当接部５２とからなり、基壁部５１の内面側に親水性の内面シート８が配設されており、内面シート８は、肌当接部５２には配設されていない。
【００５６】
また、内面シート８は、吸収体４の側部と防漏壁５の基壁部５１との間に配設されていると共に、防漏壁５の基壁部５１における吸収体４よりも上方の位置に配設されている。また、内面シート８と防漏壁５の基壁部５１とは、接着剤８１を介して離間している。内面シート８の下側と表面シート２とは、接着剤８２を介して接合されている。
本実施形態の使い捨ておむつにおける以上の構成は、物品の相違（使い捨ておむつ／生理用ナプキン）に基づく相違点を除き、基本的に第１実施形態の生理用ナプキンの構成と同様である。
【００５７】
その一方で、本実施形態の使い捨ておむつ１は、例えば以下の構成の点で、第１実施形態の生理用ナプキンとは異なる。
吸収性本体１０は、その長手方向に、股下部Ａと、股下部Ａよりも腹側の腹側部Ｂと、股下部Ａよりも背側の背側部Ｃとに区分されている。股下部Ａは、装着時にレッグ開口部に相当する括れを有する部分であり、併せてレッグ部弾性部材１７Ａが配置されている部分である。
内面シート８は、防漏壁５の基壁部５１における少なくとも吸収性本体１０の股下部Ａに対応する位置に配設されている。内面シート８に吸収された軟便を吸収性本体１０の長手方向へ速やかに拡散させる観点から、内面シート８は、股下部Ａを含む長手方向全長に亘って配設されていることが好ましい。
【００５８】
また、防漏壁５の肌当接部５２は、第１実施形態の生理用ナプキンにおける肌当接部５２とは異なり、面状とはなっていない（実質的に線状になっている）。防漏壁５は、１層形態の防漏壁形成用シート５３の自由縁部に防漏壁弾性部材９が配設され、弾性伸縮性が付与されて形成されている。防漏壁形成用シート５３は、吸収性本体１０の側方部分において接着剤（図示せず）を介して裏面シート３に接合されており、裏面シート３と防漏壁形成用シート５３とによってレッグ部弾性部材１７Ａを伸張状態で挟持固定している。そして、防漏壁５の基壁部５１（防漏壁形成用シート５３）の内面側には、内面シート８が接着剤８１により接合されており、更に、内面シート８の下側と表面シート２とは接着剤８２により接合されている。
【００５９】
本実施形態の使い捨ておむつ１は、展開型の使い捨ておむつ特有の構成として（ナプキンとは異なる構成として）、装着時に腹側部Ｂと背側部Ｃとを止着するための一対のファスニングテープ１１，１１が、背側部Ｃの幅方向両側部に設けられている。また、使い捨ておむつ１の腹側部Ｂにおける裏面シート３の外面には、ファスニングテープ１１，１１の被止着部としてのランディングテープ（図示せず）が配設されており、該ランディングテープにファスニングテープ１１，１１が止着されるように構成されている。
【００６０】
吸収体４は、平面視で長方形状であり、図８（ｂ）に示すように、単層構造を有しており、パルプと吸収性ポリマーとが分散配置されて、その周りが透過性シート（紙や不織布）で被覆されている。
【００６１】
表面シート２は、吸収体４の表面及び側面を覆うように配されており、吸収体４の側方で裏面シート３に接合固定されている。吸収体４の周囲に位置する腹側及び背側のウエスト部１６並びに左右のレッグ部１７においては、それぞれウエスト部弾性部材１６Ａ及びレッグ部弾性部材１７Ａが配されている。そして、ウエスト部弾性部材１６Ａ及びレッグ部弾性部材１７Ａが自由状態で収縮して、図８（ａ）に示すように、着用者のウエスト部１６及びレッグ部１７にそれぞれウエストギャザー及びレッグギャザーを形成して、ウエスト部１６及びレッグ部１７にフィットし得るように構成されている。
【００６２】
ウエスト部弾性部材１６Ａ及びレッグ部弾性部材１７Ａとしては、糸ゴム、平ゴム、フィルムタイプのゴム、フィルム状の発泡ポリウレタン等が好ましく用いられる。
【００６３】
第５実施形態の使い捨ておむつ１においても、防漏壁５の基壁部５１の内面側に親水性の内面シート８が配設されており、内面シート８は、防漏壁５の肌当接部５２には配設されていないため、第１実施形態と同様の効果が奏される。
【００６４】
本発明の吸収性物品は、前記各実施形態に制限されるものではなく、本発明の趣旨を逸脱しない範囲において種々変形可能である。
肌当接部５２は、第１実施形態のように面状でもよく、第５実施形態のように実質的に線状でもよい。
断面Ｔ字状の防漏壁５を採用する場合、内方張出部５２Ａ及び外方張出部５２Ｂそれぞれの張り出し幅は同一でもよく、外方張出部５２Ｂの方が内方張出部５２Ａよりも張り出し幅が大きくてもよい。
【００６５】
面状の肌当接部５２を有する防漏壁５においては、内方張出部５２Ａがなく、外方張出部５２Ｂのみが設けられた形態でもよく、その反対に、外方張出部５２Ｂがなく、内方張出部５２Ａのみが設けられた形態でもよい。
防漏壁５の重層部５８は、防漏壁形成用シート５３の一部を、幅方向外方に延出するように山折りに折り重ねて形成してもよい。重層部５８の折り重ね回数、重層部５８の幅、重層部５８の折り重ねられた対向面における対向面接合部５７の位置等は、適宜設定することができる。
【００６６】
吸収体４は、上層吸収体４１と下層吸収体４２とが接着剤やエンボス手段により一体化されていてもよく、また、中高構造を有していない平坦状であってもよい。
前述した各構成は、適宜組み合わせることができる。
本発明は、生理用ナプキン及び展開型の使い捨ておむつの他、パンツ型の使い捨ておむつ、失禁パッド、パンティライナー等に適用することができる。
【図面の簡単な説明】
【００６７】
【図１】図１は、本発明の吸収性物品の第１実施形態としての生理用ナプキンについて、自然状態における概略形態を、後方部側から視た斜視図である。
【図２】図２は、第１実施形態の生理用ナプキンを引き伸ばした状態を示す平面図である。
【図３】図３（ａ）は、図２に示すＸ−Ｘ断面の模式図、図３（ｂ）は、図３（ａ）の部分拡大図、図３（ｃ）は、図２に示すＹ−Ｙ断面の模式図である。
【図４】図４は、第１実施形態の生理用ナプキンについて、自然状態における概略形態を、前方部側から視た斜視図である。
【図５】図５は、本発明の吸収性物品の第２実施形態としての生理用ナプキンの縦断面図である〔図３（ａ）対応図〕。
【図６】図６は、本発明の吸収性物品の第３実施形態としての生理用ナプキンの縦断面図である〔図３（ａ）対応図〕。
【図７】図７は、本発明の吸収性物品の第４実施形態としての生理用ナプキンの縦断面図である〔図３（ａ）対応図〕。
【図８】図８は、本発明の吸収性物品の第５実施形態としての使い捨ておむつを示す図で、（ａ）は斜視図、（ｂ）は（ａ）に示すＢ-Ｂ断面図である。
【符号の説明】
【００６８】
１  生理用ナプキン，使い捨ておむつ（吸収性物品）
２  表面シート
３  裏面シート
４  吸収体
４１  上層吸収体
４２  下層吸収体
５  防漏壁
５１  基壁部
５２  肌当接部
８  内面シート
９  防漏壁弾性部材
Ａ  排泄部対向部，股下部
Ｂ  前方部，腹側部
Ｃ  後方部，背側部
【図１】
2008136738.tif 000003
【図２】
2008136738.tif 000004
【図３】
2008136738.tif 000005
【図４】
2008136738.tif 000006
【図５】
2008136738.tif 000007
【図６】
2008136738.tif 000008
【図７】
2008136738.tif 000009
【図８】
2008136738.tif 000010